(57)【特許請求の範囲】
【請求項１】
媒体を支持する支持面と、前記支持面に対して窪んだ受け面が形成される受け部と、を有する支持部と、
前記受け面に受けられることで、前記支持部に支持される前記媒体を押さえることが可能な押さえ部と、を備え、
前記受け部は、前記支持面を形成する素材よりも剛性の高い素材で形成され、
前記支持部は、前記支持面と前記受け面との間に位置し、前記支持面と前記受け面とを繋ぐ側面を形成する側面部を有し、
前記側面部は、前記受け部を形成する素材で形成される第１側面と、前記支持面を形成する素材で形成される第２側面と、を有することを特徴とする媒体支持ユニット。
【請求項２】
請求項１に記載の媒体支持ユニットにおいて、
前記受け部は、前記受け面と前記第１側面とが連続して形成されることを特徴とする媒体支持ユニット。
【請求項３】
請求項１または２に記載の媒体支持ユニットにおいて、
前記受け面は、前記支持面よりも静止摩擦係数が大きい素材で形成されることを特徴とする媒体支持ユニット。
【請求項４】
請求項１から３のいずれか１項に記載の媒体支持ユニットにおいて、
前記受け面には、凹凸が形成されていることを特徴とする媒体支持ユニット。
【請求項５】
請求項１から４のいずれか１項に記載の媒体支持ユニットと、
前記媒体支持ユニットに支持された前記媒体に記録可能な記録部と、
を備えることを特徴とする記録装置。
【発明の詳細な説明】
【技術分野】
【０００１】
本発明は、媒体支持ユニット及び記録装置に関する。
【背景技術】
【０００２】
従来から、支持部に支持される媒体を押さえることが可能な押さえ部を備える媒体支持ユニットが使用されている。押さえ部で媒体を押さえることで媒体の浮きを抑制してセットすることが可能になる。  
例えば、特許文献１には、支持部としてのセットトレイと、セットトレイに支持される媒体を押さえることが可能な押さえ部としての枠と、を備える媒体支持ユニットが開示されている。ここで、該媒体支持ユニットの該セットトレイには、縁部分全周に亘って該枠を受けるための受け部としての縁部が形成されている。
【先行技術文献】
【特許文献】
【０００３】
【特許文献１】特開２０１３−２２６６５７号公報
【発明の概要】
【発明が解決しようとする課題】
【０００４】
支持部に支持される媒体を押さえることが可能な押さえ部を備える媒体支持ユニットにおいては、支持部を薄く軽量にすることが望まれている。  
しかしながら、支持部を薄く軽量にすると支持部が損傷しやすくなる。一般的に、従来の媒体支持ユニットにおいては、押さえ部を受けるための受け部は、支持部の縁部分に設けられ、支持部と一体的に構成されていた。このような構成のため、支持部を薄くすると受け部も薄くなり、薄く、縁部分に設けられることにより、特に、受け部が損傷しやすくなっていた。このため、支持部を薄く軽量にすることは困難であった。  
なお、特許文献１には、支持部の本体の周囲に補強枠を設けてもよいとの記載があるが、受け部の構成について具体的な記載はない。
【０００５】
そこで、本発明の目的は、支持部に支持される媒体を押さえることが可能な押さえ部を備える媒体支持ユニットにおいて、支持部を薄く軽量にすることを目的にする。
【課題を解決するための手段】
【０００６】
上記課題を解決するための本発明の第１の態様の媒体支持ユニットは、媒体を支持する支持面と、前記支持面に対して窪んだ受け面が形成される受け部と、を有する支持部と、前記受け面に受けられることで、前記支持部に支持される前記媒体を押さえることが可能な押さえ部と、を備え、前記受け部は、前記支持面を形成する素材よりも剛性の高い素材で形成されることを特徴とする。
【０００７】
本発明の第２の態様の媒体支持ユニットは、前記第１の態様において、前記支持部は、前記支持面と前記受け面との間に位置し、前記支持面と前記受け面とを繋ぐ側面を形成する側面部を有し、前記側面部は、前記受け部を形成する素材で形成される第１側面を有することを特徴とする。
【０００８】
本発明の第３の態様の媒体支持ユニットは、前記第２の態様において、前記側面部は、前記支持面を形成する素材で形成される第２側面を有することを特徴とする。
【０００９】
本発明の第４の態様の媒体支持ユニットは、前記第２又は第３の態様において、前記受け部は、前記受け面と前記第１側面とが連続して形成されることを特徴とする。
【００１０】
本発明の第５の態様の媒体支持ユニットは、前記第１から第４のいずれか１つの態様において、前記受け面は、前記支持面よりも静止摩擦係数が大きい素材で形成されることを特徴とする。
【００１１】
本発明の第６の態様の媒体支持ユニットは、前記第１から第５のいずれか１つの態様において、前記受け面には、凹凸が形成されていることを特徴とする。
【００１２】
本発明の第７の態様の記録装置は、前記第１から第６のいずれか１つの態様の媒体支持ユニットと、前記媒体支持ユニットに支持された前記媒体に記録可能な記録部と、を備えることを特徴とする。
【発明の効果】
【００１３】
本発明によれば、支持部に支持される媒体を押さえることが可能な押さえ部を備える媒体支持ユニットにおいて、支持部を薄く軽量にすることができる。
【図面の簡単な説明】
【００１４】
【図１】本発明の実施例１に係る記録装置の概略斜視図。
【図２】本発明の実施例１に係る記録装置の概略斜視図。
【図３】本発明の実施例１に係る記録装置の概略正面図。
【図４】本発明の実施例１に係る媒体支持ユニットを表す概略斜視図。
【図５】本発明の実施例１に係る媒体支持ユニットを表す概略平面図。
【図６】本発明の実施例１に係る媒体支持ユニットを表す概略側面断面図。
【図７】本発明の実施例１に係る媒体支持ユニットを表す概略側面断面図。
【図８】本発明の実施例２に係る媒体支持ユニットを表す概略側面断面図。
【図９】本発明の実施例３に係る媒体支持ユニットを表す概略側面断面図。
【発明を実施するための形態】
【００１５】
以下に、本発明の一実施例に係る媒体支持ユニット２、並びに、該媒体支持ユニット２を備えた一実施例に係る記録装置１について、添付図面を参照して詳細に説明する。  
［実施例１］（図１から図６）  
最初に、実施例１の記録装置１の概要について説明する。  
図１及び図２は本発明の実施例１に係る記録装置１の概略斜視図であり、このうち図１は本実施例の記録装置１の媒体Ｍ（図４参照）の支持部としてのトレイ４が記録開始位置にある状態、図２はトレイ４が媒体Ｍのセット位置にある状態を表している。  
また、図３は、本実施例の記録装置１の概略正面図である。
【００１６】
本実施例の記録装置１は、媒体Ｍをトレイ４の支持面８で支持した状態で移動方向Ａに移動する媒体支持ユニット２を備えている。媒体支持ユニット２は、媒体Ｍの支持部であるトレイ４を有している。記録装置１は、トレイ４に支持された媒体Ｍを移動方向Ａに搬送する媒体搬送部３を備えている。移動方向Ａは、方向Ａ１と、方向Ａ１と反対方向の方向Ａ２と、を含む方向である。また、トレイ４はステージ５に載置されている。トレイ４はステージ５と共に、回転レバー９を回転させることにより、高さ方向Ｃに移動する。なお、媒体Ｍとしては、テキスタイル（織物、布等）、紙、塩化ビニル樹脂など、種々の素材のものを用いることができる。
【００１７】
また、記録装置１の本体内部にはインクを吐出して媒体Ｍに記録することが可能な記録ヘッド７が備えられている。本実施例において、記録ヘッド７は、媒体Ｍに記録を実行可能な記録部に相当する。そして、本実施例の記録装置１は、記録ヘッド７が設けられたキャリッジ６を移動方向Ａと交差する交差方向Ｂに往復移動させることで、記録ヘッド７を交差方向Ｂに往復移動させながら、記録ヘッド７からトレイ４に支持された媒体Ｍにインクを吐出させて所望の画像を形成する。  
なお、本実施例の記録装置１は、図１及び図２中の手前側（左下方向）がトレイ４への媒体Ｍのセット位置（図２に対応）である。そして、図１及び図２中の奥側（右上方向）の記録開始位置（図１に対応）まで移動方向Ａのうちの方向Ａ１に媒体Ｍをセットしたトレイ４を移動した後、移動方向Ａのうちの方向Ａ２にトレイ４を移動しながら記録する。
【００１８】
なお、本実施例の記録装置１は、交差方向Ｂに往復移動しながら記録する記録ヘッド７を備えているが、インクを吐出するノズルを移動方向Ａと交差する交差方向Ｂに複数設けた所謂ラインヘッドを備える記録装置でもよい。  
ここで、「ラインヘッド」とは、媒体Ｍの移動方向Ａと交差する交差方向Ｂに形成されたノズルの領域が、媒体Ｍの交差方向Ｂ全体をカバー可能なように設けられ、記録ヘッド又は媒体Ｍを相対的に移動させて画像を形成する記録装置に用いられる記録ヘッドである。なお、ラインヘッドの交差方向Ｂのノズルの領域は、記録装置が対応している全ての媒体Ｍの交差方向Ｂ全体をカバー可能でなくてもよい。  
また、本実施例の記録ヘッド７は、媒体Ｍにインクを吐出することで記録可能な記録部であるが、このような記録部に限定されず、例えば、色材を媒体Ｍに転写して記録する転写式の記録部を使用してもよい。
【００１９】
また、本実施例の記録装置１は、図３で表されるように、センサーＳを備えており、トレイ４に支持される媒体Ｍと記録ヘッド７との間隔の異常（媒体Ｍと記録ヘッド７との間隔が狭すぎること）の有無を検出することができる構成になっている。  
ここで、センサーＳは、発光部Ｓｅと受光部Ｓｒとを有している。そして、センサーＳは、発光部Ｓｅから受光部Ｓｒに向けて光を照射し、受光部Ｓｒで該光を受光したか否かに基づいて、該間隔の異常の有無を検出する構成である。ただし、このような構成に限定はない。
【００２０】
次に、本発明の実施例１の媒体支持ユニット２について詳細に説明する。  
ここで、図４は、本実施例の媒体支持ユニット２を表す概略斜視図である。また、図５は、本実施例の媒体支持ユニット２を表す概略平面図である。また、図６及び図７は、本実施例の媒体支持ユニット２を表す概略側面断面図である。
【００２１】
本実施例の媒体支持ユニット２は、図４で表されるように、支持部としてのトレイ４と、トレイ４に支持される媒体Ｍを押さえることが可能な押さえ部１０と、を備えている。ここで、トレイ４は、媒体Ｍを支持する支持面８と、支持面８に対して窪んだ受け面１２が形成される受け部１３と、を有している。また、押さえ部１０は、図６で表されるように、受け面１２に受けられることで、トレイ４に支持される媒体Ｍを押さえることが可能な構成である。  
そして、受け部１３は、支持面８を形成する素材よりも剛性の高い素材で形成されている。このように、本実施例の媒体支持ユニット２は、受け部１３を支持面８の形成部材と別部材として構成しているので、受け部１３を支持面８と一体的に構成するトレイ４に比べて、受け部１３及び支持面８の各々に要求される特性を具備したトレイ４を容易に構成することができている。ここで、受け部１３を支持面８と一体的に構成する場合、一般的に損傷しやすい受け部１３を損傷しづらくするためには、剛性の高い素材により受け部１３及び支持面８を構成するか、受け部１３及び支持面８を肉厚に構成する必要がある。しかしながら、剛性の高い素材は重い場合が多く、剛性の高い素材で支持面８を構成すると、トレイ４が重くなる傾向になる。また、受け部１３及び支持面８を肉厚に構成すると、当然、トレイ４が重くなる傾向になる。一方、本実施例の媒体支持ユニット２は、一般的に損傷しやすい受け部１３を、支持面８の形成部材と別部材として、剛性の高い素材により損傷しづらく構成しているので、トレイ４を薄く軽量に構成することができている。  
すなわち、別の表現をすると、本実施例の記録装置１は、薄く軽量に構成されたトレイ４で媒体Ｍを支持して記録することができる構成になっている。
【００２２】
なお、図４及び図５で表されるように、受け部１３は、各々が金属製の、受け部１３ａ、１３ｂ、１３ｃ及び１３ｄの４つで構成されている。このため、受け部１３各々を簡単に構成できている。ただし、このような構成に限定されず、受け部１３を１つの構成要素で構成してもよい。  
また、図５で表されるように、トレイ４の各辺に対応する受け部１３ａ、１３ｂ、１３ｃ及び１３ｄは、平面視した場合（支持面８と直交する方向から見た場合）に、それぞれの間に隙間がある構成となっている。具体的には、平面視した場合に、受け部１３ａと受け部１３ｂとの間、受け部１３ｂと受け部１３ｃとの間、受け部１３ｃと受け部１３ｄとの間、及び受け部１３ｄと受け部１３ａとの間、に隙間がある構成である。別な言い方をすれば、略四角形である支持面８の４つの角に対応する部分には、受け部１３が形成されていない構成であるとも言える。このような構成により、トレイ４の体積を減らし、軽量化することができる。  
また、支持面８などのトレイ４における受け部１３以外の部分はアクリル樹脂で構成されている。ここで、受け部１３の素材、並びに、支持面８などのトレイ４における受け部１３以外の部分の素材に、限定はない。ただし、強度、重量、コストなどの観点から、受け部１３は金属製、支持面８は硬質の高分子物質製であることが好ましい。
【００２３】
また、本実施例のトレイ４は、図４及び図６で表されるように、支持面８と受け面１２との間に位置し、支持面８と受け面１２とを繋ぐ側面を形成する側面部１１を有している。側面部１１は、受け部１３を形成する素材で形成される第１側面１１ａを有している。このため、側面部１１も損傷しづらく構成することができるので、特にトレイ４を薄く軽量にすることができている。
【００２４】
ここで、受け部１３は、受け面１２と第１側面１１ａとが連続して形成されている。このため、側面部１１が損傷しづらい構成を簡単に形成できている。すなわち、簡単に、特にトレイ４を薄く軽量にしている。  
なお、本実施例の第１側面１１ａは、受け部１３と一体的に構成されているが、受け部１３と別部材で構成されていてもよい。
【００２５】
また、図４及び図６で表されるように、本実施例のトレイ４における側面部１１は、支持面８を形成する素材で形成される第２側面１１ｂを有している。詳細には、本実施例のトレイ４は、板状の支持面８の形成部材の端部において、支持面８とは反対側の面１７に受け部１３の上面１６を取り付けている。そして、板状の支持面８の形成部材における支持面８の側面が第２側面１１ｂを形成している。このような構成により、トレイ４の構成を簡単にしている。  
また、図６で表されるように、側面部１１は、押さえ部１０に対し、上側に大きく突出する構成となっている。このような構成により、押さえ部１０が外力等によって傾いた場合でも、トレイ４から押さえ部１０が外れにくくなる。具体的には、側面部１１における高さ方向の辺の５０％以上は押さえ部１０よりも上側に突出している。このとき、側面部１１のうち第１側面１１ａは、一部は押さえ部１０より下方にあり、他の一部は押さえ部１０より上方に突出している。また、側面部１１のうち第２側面１１ｂは、全体が押さえ部１０より上方に突出している。このような構成により、第１側面１１ａと第２側面１１ｂとの境界部分が押さえ部１０と対向しなくなり、１側面１１ａと第２側面１１ｂとの境界部分に負荷が掛かることを抑制することができる。
【００２６】
また、本実施例の受け部１３における受け面１２には、ブラスト加工により凹凸が形成されている。このような構成とすることで、トレイ４を薄く軽量にすることができるだけでなく、受け面１２は支持面８よりも静止摩擦係数が大きくなっていることで、媒体Ｍが支持面８で支持され、押さえ部１０で押さえられている状態にあるときに、媒体Ｍが浮いてしまうことを抑制している。  
なお、「凹凸」の形成方法に特に限定はない。
【００２７】
また、受け部１３における受け面１２を、支持面８よりも静止摩擦係数が大きい素材で形成してもよい。このような構成とすることでも、トレイ４を薄く軽量にすることができるだけでなく、媒体Ｍが支持面８で支持され、押さえ部１０で押さえられている状態にあるときに、媒体Ｍが浮いてしまうことを抑制できる。
【００２８】
ここで、図７（Ａ）は、本実施例の媒体支持ユニット２において、図４で表される状態（媒体Ｍをトレイ４にセットしようとしている状態）から媒体Ｍを載置したトレイ４に対して押さえ部１０を組み合わせた状態であって、この際、方向Ａ２の上流側に浮きＷが生じてしまった状態を表している。  
また、図７（Ｂ）は、図７（Ａ）で表される状態から、作業者が方向Ａ２の下流側の位置（図１及び図２中の手前側（左下方向）の位置）で、媒体Ｍを方向Ｆ１に引っ張り浮き１２を解消させたときの状態を表している。  
このように、本実施例の媒体支持ユニット２においては、媒体Ｍが方向Ｆ１に引っ張られることに伴い支持面８上の媒体Ｍが方向Ｆ２に移動して浮き１２は解消される。これは、受け面１２における静止摩擦係数を大きくすることで、方向Ａ２の上流側における受け面１２の位置で押さえ部１０により確りと押さえられた状態で媒体Ｍが引っ張られることにより、方向Ａ２の上流側で確りと押さえられつつ支持面８上の媒体Ｍが方向Ｆ２に移動するためである。
【００２９】
なお、図４で表されるように、本実施例のトレイ４には、ステージ５から取り外して床などに設置する際の設置部１４と、ステージ５に対して位置決め可能な位置決め部１５とを備えている。ただし、トレイ４の構成に特に限定はない。
【００３０】
［実施例２］（図８）  
次に、本発明の実施例２に係る媒体支持ユニットについて説明する。  
図８は、本発明の実施例２に係る媒体支持ユニット２を表す概略側面断面図であり、実施例１の図６に対応する図である。なお、上記実施例１と共通する構成部材は同じ符号で示しており、詳細な説明は省略する。  
本実施例の媒体支持ユニット２は、受け部１３の構成のみが実施例１の媒体支持ユニット２と相違する。
【００３１】
実施例１の媒体支持ユニット２は、側面部１１において受け部１３が第１側面１１ａを構成していた。  
一方、本実施例の媒体支持ユニット２は、板状の支持面８の形成部材の端部の側面のみが側面部１１を形成する構成である。  
なお、本実施例の媒体支持ユニット２は、実施例１の記録装置で使用可能である。
【００３２】
［実施例３］（図９）  
次に、本発明の実施例３に係る媒体支持ユニットについて説明する。  
図９は、本発明の実施例３に係る媒体支持ユニット２を表す概略側面断面図であり、実施例１の図６及び実施例２の図８に対応する図である。なお、上記実施例１及び２と共通する構成部材は同じ符号で示しており、詳細な説明は省略する。  
本実施例の媒体支持ユニット２は、受け部１３のほかに側面部１１を構成する側面部構成部材１８を備えるという構成のみが実施例１及び２の媒体支持ユニット２と相違する。
【００３３】
実施例１の媒体支持ユニット２は、側面部１１において受け部１３が第１側面１１ａを構成していた。また、実施例２の媒体支持ユニット２は、板状の支持面８の形成部材の端部の側面のみが側面部１１を形成する構成であった。  
一方、本実施例の媒体支持ユニット２は、実施例２の受け部１３と同様の構成の受け部１３を備え、該受け部１３と板状の支持面８の形成部材との間に側面部１１を構成する側面部構成部材１８を備える構成である。ここで、本実施例の側面部構成部材１８は、受け部１３と同じ素材で構成されているが、構成部材に特に限定はなく、板状の支持面８の形成部材と同じ素材で構成されていてもよいし、両者と全く別の素材で構成されていてもよい。  
なお、本実施例の媒体支持ユニット２は、実施例１の記録装置で使用可能である。
【００３４】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３５】
本発明の第１の態様の媒体支持ユニット２は、媒体Ｍを支持する支持面８と、支持面８に対して窪んだ受け面１２が形成される受け部１３と、を有する支持部４と、受け面１２に受けられることで、支持部４に支持される媒体Ｍを押さえることが可能な押さえ部１０と、を備え、受け部１３は、支持面８を形成する素材よりも剛性の高い素材で形成されることを特徴とする。
【００３６】
本態様によれば、受け部１３は支持面８を形成する素材よりも剛性の高い素材で形成される。このため、受け部１３を支持面８の形成部材と別部材として構成することで、受け部１３を支持面８と一体的に構成するトレイ４に比べて、受け部１３及び支持面８の各々に要求される特性を具備したトレイ４を容易に構成することができる。そして、一般的に損傷しやすい受け部１３を、支持面８の形成部材と別部材として、剛性の高い素材により損傷しづらく構成することで、トレイ４を薄く軽量に構成することができる。
【００３７】
本発明の第２の態様の媒体支持ユニット２は、前記第１の態様において、支持部４は、支持面８と受け面１２との間に位置し、支持面８と受け面１２とを繋ぐ側面を形成する側面部１１を有し、側面部１１は、受け部１２を形成する素材で形成される第１側面１１ａを有することを特徴とする。
【００３８】
本態様によれば、側面部１１は受け部１３を形成する素材で形成される第１側面１１ａを有する。このため、側面部１１も損傷しづらく構成することができるので、特に支持部４を薄く軽量にすることができる。
【００３９】
本発明の第３の態様の媒体支持ユニット２は、前記第２の態様において、側面部１１は、支持面８を形成する素材で形成される第２側面１１ｂを有することを特徴とする。
【００４０】
本態様によれば、側面部１１は支持面８を形成する素材で形成される第２側面１１ｂを有する。このため、例えば、板状の支持面８の形成部材の端部において、支持面８とは反対側の面１７に受け部を取り付けるなど、支持部４の構成を簡単にすることができる。
【００４１】
本発明の第４の態様の媒体支持ユニット２は、前記第２又は第３の態様において、受け部１３は、受け面１２と第１側面１１ａとが連続して形成されることを特徴とする。
【００４２】
本態様によれば、受け部１３は受け面１２と第１側面１１ａとが連続して形成される。このため、側面部１１が損傷しづらい構成を簡単に形成できるので、簡単に、特に支持部４を薄く軽量にすることができる。
【００４３】
本発明の第５の態様の媒体支持ユニット２は、前記第１から第４のいずれか１つの態様において、受け面１２は、支持面８よりも静止摩擦係数が大きい素材で形成されることを特徴とする。
【００４４】
本態様によれば、受け面１２は支持面８よりも静止摩擦係数が大きい素材で形成される。このような構成とすることで、支持部４を薄く軽量にすることができるだけでなく、媒体Ｍが支持面８で支持され押さえ部で押さえられている状態にあるときに媒体Ｍが浮いてしまうことを抑制できる。
【００４５】
本発明の第６の態様の媒体支持ユニット２は、前記第１から第５のいずれか１つの態様において、受け面１２には、凹凸が形成されていることを特徴とする。
【００４６】
本態様によれば、受け面１２には凹凸が形成されている。このような構成とすることで、支持部４を薄く軽量にすることができるだけでなく、媒体Ｍが支持面８で支持され押さえ部１０で押さえられている状態にあるときに媒体Ｍが浮いてしまうことを抑制できる。  
なお、「凹凸」の形成方法に特に限定はないが、例えば、ブラスト加工をすることなどにより、押さえ部１０における媒体Ｍとの接触面１１ａ及び１１ｂに凹凸を形成することができる。
【００４７】
本発明の第７の態様の記録装置１は、前記第１から第６のいずれか１つの態様の媒体支持ユニット２と、媒体支持ユニット２に支持された媒体Ｍに記録可能な記録部７と、を備えることを特徴とする。
【００４８】
本態様によれば、薄く軽量な支持部４で媒体Ｍを支持して記録することができる。
【符号の説明】
【００４９】
１  記録装置、２  媒体支持ユニット、３  媒体搬送部、４  トレイ（支持部）、
５  ステージ、６  キャリッジ、７  記録ヘッド（記録部）、８  支持面、
９  回転レバー、１０  押さえ部、１１  側面部、１１ａ  第１側面、
１１ｂ  第２側面、１２  受け面、１３  受け部、１３ａ  受け部、１３ｂ  受け部、
１３ｃ  受け部、１３ｄ  受け部、１４  設置部、１５  位置決め部、
１６  受け部１３の上面、１７  トレイの支持面８とは反対側の面、
１８  側面部構成部材、Ｍ  媒体、Ｓ  センサー、Ｓｅ  発光部、Ｓｒ  受光部、
Ｗ  媒体Ｍの浮き
【図１】
0006460327.tif 000002
【図２】
0006460327.tif 000003
【図３】
0006460327.tif 000004
【図４】
0006460327.tif 000005
【図５】
0006460327.tif 000006
【図６】
0006460327.tif 000007
【図７】
0006460327.tif 000008
【図８】
0006460327.tif 000009
【図９】
0006460327.tif 000010